(57)【特許請求の範囲】
【請求項１】
可動部材を動作させて演出を行なう可動演出装置が配設された遊技機において、
前記可動部材は、
光拡散処理がなされた前面部および該前面部の外周縁から後方に突出する外周壁部から形成されて後方に開口する第１の光透過部材と、
前記第１の光透過部材に形成されて後方に突出する固定突部と、
前記第１の光透過部材に形成された第１位置決め部と、
前記第１の光透過部材における外周壁部がなす内側輪郭形状に合致する形状に形成されて該第１の光透過部材の内側に収容され、第１の光透過部材の前面部に対向する対向面部に光拡散処理がなされた第２の光透過部材と、
前記第２の光透過部材に形成され、前記第１の光透過部材に設けた固定突部が嵌挿される第１挿通孔と、
前記第２の光透過部材に形成され、前記第１の光透過部材の内側に第２の光透過部材を収容した状態で前記第１位置決め部に対して係脱可能に係合する第２位置決め部と、
前記第１の光透過部材の内側に収容されるよう第２の光透過部材の裏側に配設されて、該第１の光透過部材の外周壁部により位置規制されると共に、前方に光を照射するＬＥＤを備えたＬＥＤ基板と、
前記ＬＥＤ基板に形成され、前記第１挿通孔に嵌挿された固定突部が嵌挿される第２挿通孔と、
前記ＬＥＤ基板の裏側に配設されて前記第２挿通孔に嵌挿された固定突部に固定され、前記第１の光透過部材との間に前記第２の光透過部材およびＬＥＤ基板を挟持する後カバー体とを備え、
前記第２の光透過部材は、
前記対向面部において前記第１の光透過部材の前面部に対向する表面側に、前記ＬＥＤ基板のＬＥＤと対応する位置に、前方へ突出する断面三角形状の第１光拡散部が形成され、
前記対向面部において前記ＬＥＤ基板に対向する裏面側に、前記ＬＥＤが嵌り込む収容凹部が形成されると共に、後方へ突出する断面三角形状の第２光拡散部が収容凹部に連続するよう形成されて、
前記ＬＥＤからの照射光の一部を前記第１光拡散部において後方側に反射し、該第１光拡散部からの反射光を、前記第２光拡散部で前方に反射するよう構成された
ことを特徴とする遊技機。
【請求項２】
前記第２の光透過部材は、前記第１の光透過部材との対向面部に前方へ突出する突出部が形成されて、該第２の光透過部材の対向面部を第１の光透過部材から離間させるよう構成された請求項１記載の遊技機。
【請求項３】
前記第２光拡散部は、前記収容凹部から離間する方向に連続して形成されると共に、各第２光拡散部の突出端部が収容凹部から離間するにつれて前方へ変位するよう構成された請求項１または２記載の遊技機。
【発明の詳細な説明】
【技術分野】
【０００１】
本発明は、可動部材を備えた可動演出装置を遊技盤に配設して遊技演出を行なうよう構成された遊技機に関するものである。
【背景技術】
【０００２】
代表的な遊技機であるパチンコ機は、遊技盤の盤面に画成した遊技領域の略中央位置に枠状の装飾体(所謂センター役物)が配設されており、この枠状装飾体の開口部を介して複数の図柄を変動表示して図柄変動ゲームを行なう液晶式やドラム式等の図柄表示装置を後方から臨ませると共に、該遊技盤における枠状装飾体の下方位置に、パチンコ球(遊技球)の入賞により図柄表示装置での変動を開始させる始動入賞装置や大当り時等に開放する特別入賞装置を配設するよう構成されたものが多数提案されている。このようなパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、前記図柄表示装置で図柄変動演出に伴うリーチ演出等の各種の遊技演出がなされ、該図柄表示装置に図柄が所定の組み合わせで停止することにより所謂大当りが発生し、遊技盤に設けられた特別入賞装置が開放して多数の賞球を獲得し得るよう構成される。一方で、遊技領域を流下する過程で遊技盤に設けられた始動入賞装置等の各種入賞装置に入賞せず遊技領域の最下部まで流下したパチンコ球は、遊技領域の最下部に設けられたアウト口を介してパチンコ機裏側の球回収部に回収されるようになっている(例えば、特許文献１参照)。
【０００３】
また、近年の多くのパチンコ機では、前記枠状装飾体に所要の動作が可能な可動部材を備えた可動演出装置を配設し、該可動部材を前記図柄表示装置で行なわれる演出に合わせて動作させることで視覚的な演出効果を高め、遊技の興趣を向上するようにしたパチンコ機も知られている。例えば、特許文献１には、図柄表示装置が臨む枠状装飾体に、棒状に形成された可動部材が揺動可能に支持されて、種々のタイミングで可動部材を動作させる構成が開示されている。また、特許文献１に開示された可動部材は、後面をなすベース部材および前面をなす光透過製のカバー部材の間に画成される空間部に発光体を備えた基板を収容して、該発光体を発光することで所謂「保留数」を表示するよう構成されている。
【先行技術文献】
【特許文献】
【０００４】
【特許文献１】特開２００５−１１０８６２号
【発明の概要】
【発明が解決しようとする課題】
【０００５】
しかしながら、特許文献１のように、可動部材を構成するカバー部材とベース部材との間に基板を挟持する構成では、可動部材の動作時にカバー部材とベース部材との間の空間部内で基板が動く虞がある。そして、空間部内で基板が移動した場合には、基板がカバー部材やベース部材に接触して異音が生じ、可動部材の動作が却って演出上の妨げになることにも繋がる。特に、前記可動部材の空間部に複数の部材を収容した場合には、異音の発生が顕著になることから、空間部に収容された部材を可動部材の動作時に所定位置に確実に保持し得ることが求められる。
【０００６】
また、特許文献１のように、可動部材に設けた発光体を点光源として利用する場合は別として、該発光体で可動部材に発光領域を広範囲に設定する場合には、カバー部材にダイヤカットや球面状カット等の光拡散処理をなしたとしても、その光拡散効果は充分ではなく、１つの発光体で明輝させ得る範囲は限定的にならざるを得ない。すなわち、可動部材に設定した発光領域を一度に同じような明るさで明輝させる場合には、カバー部材に光拡散処理を施すだけでなく発光体の配設数を増加させる必要があり、部品点数が増加すると共に、製造工程が多くなって製造コストが嵩む問題がある。
【０００７】
そこで本発明は、従来の技術に係る遊技機に内在する前記課題に鑑み、これを好適に解決するべく提案されたものであって、可動部材を動作させた際に、内部に収容した部材の移動を抑制し、かつ１つの発光体により明輝可能な領域を拡大し得る可動演出装置を備えた遊技機を提供することを目的とする。
【課題を解決するための手段】
【０００８】
前記課題を克服し、所期の目的を達成するため、本願の請求項１に係る遊技機は、
可動部材(80,81)を動作させて演出を行なう可動演出装置(70)が配設された遊技機において、
前記可動部材(80,81)は、
光拡散処理がなされた前面部(92a)および該前面部(92a)の外周縁から後方に突出する外周壁部(92b)から形成されて後方に開口する第１の光透過部材(92)と、
前記第１の光透過部材(92)に形成されて後方に突出する固定突部(93)と、
前記第１の光透過部材(92)に形成された第１位置決め部(94)と、
前記第１の光透過部材(92)における外周壁部(92b)がなす内側輪郭形状に合致する形状に形成されて該第１の光透過部材(92)の内側に収容され、第１の光透過部材(92)の前面部(92a)に対向する対向面部(103)に光拡散処理がなされた第２の光透過部材(102)と、
前記第２の光透過部材(102)に形成され、前記第１の光透過部材(92)に設けた固定突部(93)が嵌挿される第１挿通孔(103a)と、
前記第２の光透過部材(102)に形成され、前記第１の光透過部材(92)の内側に第２の光透過部材(102)を収容した状態で前記第１位置決め部(94)に対して係脱可能に係合する第２位置決め部(104a)と、
前記第１の光透過部材(92)の内側に収容されるよう第２の光透過部材(102)の裏側に配設されて、該第１の光透過部材(92)の外周壁部(92b)により位置規制されると共に、前方に光を照射するＬＥＤ(111a)を備えたＬＥＤ基板(111)と、
前記ＬＥＤ基板(111)に形成され、前記第１挿通孔(103a)に嵌挿された固定突部(93)が嵌挿される第２挿通孔(111b)と、
前記ＬＥＤ基板(111)の裏側に配設されて前記第２挿通孔(111b)に嵌挿された固定突部(93)に固定され、前記第１の光透過部材(92)との間に前記第２の光透過部材(102)およびＬＥＤ基板(111)を挟持する後カバー体(115)とを備え、
前記第２の光透過部材(102)は、
前記対向面部(103)において前記第１の光透過部材(92)の前面部(92a)に対向する表面側に、前記ＬＥＤ基板(111)のＬＥＤ(111a)と対応する位置に、前方へ突出する断面三角形状の第１光拡散部(106)が形成され、
前記対向面部(103)において前記ＬＥＤ基板(111)に対向する裏面側に、前記ＬＥＤ(111a)が嵌り込む収容凹部(105)が形成されると共に、後方へ突出する断面三角形状の第２光拡散部(107)が収容凹部(105)に連続するよう形成されて、
前記ＬＥＤ(111a)からの照射光の一部を前記第１光拡散部(106)において後方側に反射し、該第１光拡散部(106)からの反射光を、前記第２光拡散部(107)で前方に反射するよう構成されたことを要旨とする。
【０００９】
このように、第１の光透過部材の内側に第２の光透過部材を収容すると共に、該第２の光透過部材の輪郭形状を第１の光透過部材における外周壁部がなす内側輪郭形状に合致させたことで、第２の光透過部材が第１の光透過部材の内側で位置決めされて移動が抑制される。しかも、第１の光透過部材と第２の光透過部材とを組み付けた際に、第１位置決め部および第２位置決め部が係合し、更に固定突部を第１挿通孔に嵌挿するよう構成したから、第１の光透過部材に対して第２の光透過部材がより正確に位置決めされ、当該第２の光透過部材の移動をより効果的に抑制できる。更に、第１の光透過部材の外周壁部の内側にＬＥＤ基板が位置して、該第１の光透過部材の外周壁部がＬＥＤ基板の端縁部に当接することで、ＬＥＤ基板が第１の光透過部材の内側で位置決めされて移動が抑制される。このとき、前記第２の光透過部材の第１挿通孔に嵌挿された固定突部が、ＬＥＤ基板に形成された第２挿通孔に嵌挿されるように構成してあるから、第１の光透過部材に対するＬＥＤ基板の位置決めがより正確になされ、ＬＥＤ基板の移動をより効果的に抑制し得る。また、前記ＬＥＤ基板の第２挿通孔に嵌挿された固定突部に後カバー体を固定することで、第１の光透過部材と後カバー体との間に第２の光透過部材およびＬＥＤ基板が挟持されるから、該第２の光透過部材やＬＥＤ基板の前後方向の移動も規制される。このように、可動部材の内部空間に第２の光透過部材やＬＥＤ基板を配設した場合でも、各部材が正確に位置決めされ、該可動部材内での部材の移動を防止することが可能となる。
【００１０】
また、前記第１の光透過部材、第２の光透過部材およびＬＥＤ基板の相対的な位置関係を正確に保持できるから、ＬＥＤ基板のＬＥＤを発光させた際に、所期の電飾効果を発揮させることが可能となる。更に、光拡散処理を施した複数の光透過部材を前後に重ね合わせるようにしたことで、ＬＥＤの発光時における光拡散効果が向上し、１つのＬＥＤでより広範囲を明輝させ得るようになる。従って、ＬＥＤ基板に設けるＬＥＤの数を低減でき、部品点数の削減により製造工程の簡略化を図り得ると共に、コストの低減を実現できる。更に、第２の光透過部材に第１光拡散部と第２光拡散部とを形成したことで、第１光拡散部の反射面に対してＬＥＤから光が入射する角度に応じて広範囲に光が反射され、該第１光拡散部からの反射光が第２光拡散部の反射面に対して入射する角度に応じて、該第２光拡散部の反射面でも広範囲に光が拡散される。すなわち、第１光拡散部および第２光拡散部を形成することで、１つのＬＥＤの光を照射できる範囲が格段に広がる。
【００１１】
請求項２に係る遊技機は、前記第２の光透過部材(102)は、前記第１の光透過部材(92)との対向面部(103)に前方へ突出する突出部(104)が形成されて、該第２の光透過部材(102)の対向面部(103)を第１の光透過部材(92)から離間させるよう構成されたことを要旨とする。
【００１２】
このように、第２の光透過部材の対向面部を第１の光透過部材から離間させることで、該第２の光透過部材で拡散された光を第１の光透過部材の広範囲に照射でき、１つのＬＥＤでより広範囲を明輝することができる。
【００１５】
請求項３に係る遊技機は、前記第２光拡散部(107)は、前記収容凹部(105)から離間する方向に連続して形成されると共に、各第２光拡散部(107)の突出端部が収容凹部(105)から離間するにつれて前方へ変位するよう構成されたことを要旨とする。
【００１６】
このように、第２光拡散部を複数連続して形成することで、第１光拡散部の反射面で広範囲に反射された反射光を第２光拡散部の反射面で確実に受け止めて前方に反射させることができる。しかも、各第２光拡散部の突出端部が収容凹部から離間するにつれて前方へ変位することで、収容凹部から離れた位置の第２光拡散部の反射面に対しても反射光を確実に行き渡らせることができ、１つのＬＥＤで光を照射できる範囲の拡大が図られる。
【発明の効果】
【００１７】
本発明に係る遊技機によれば、可動部材を動作させた際に可動部材の内部空間に収容された部材が移動するのを抑制でき、更には１つの発光体により明輝される領域を拡大することが可能となる。
【図面の簡単な説明】
【００１８】
【図１】本発明の実施例に係るパチンコ機を示す正面図である。
【図２】実施例に係るパチンコ機の遊技盤を示す正面図である。
【図３】実施例に係る裏ユニットを示す正面図である。
【図４】実施例に係る枠状装飾体を示す斜視図である。
【図５】実施例に係る枠状装飾体のステージ形成位置を示す拡大図である。
【図６】実施例に係る遊技盤の縦断側面図であって、左下部照明装置の配設位置で縦断した状態を示す。
【図７】実施例に係る裏ユニットを示す斜視図であって、各照明装置の装飾カバー部材を分解した状態で示す。
【図８】実施例に係る左下部照明装置を示す分解斜視図であって、装飾カバー部材を省略して示す。
【図９】実施例に係る可動演出装置を示す正面図である。
【図１０】実施例に係る可動演出装置の分解斜視図である。
【図１１】図９におけるＡ-Ａ線断面図である。
【図１２】実施例に係る第１および第２可動部材を正面側から視た状態で示す分解斜視図である。
【図１３】実施例に係る第１および第２可動部材を背面側から視た状態で示す分解斜視図である。
【図１４】実施例に係る回転支持部を示す斜視図である。
【図１５】実施例に係る第１可動部材の第１の光透過部材を示す分解斜視図である。
【図１６】実施例に係る第１可動部材の第１の光透過部材を背面側から視た状態で示す斜視図である。
【図１７】実施例に係る第１可動部材の第２の光透過部材を示す斜視図であって、(a)は正面側から視た状態を示し、(b)は背面側から視た状態を示す。
【図１８】実施例に係る第１可動部材における第１および第２の光透過部材を組み付けた状態を示す背面図である。
【図１９】実施例に係る第１可動部材における第２の光透過部材を、第１および第２光拡散部の近傍で拡大した概略図であって、第３のＬＥＤ基板のＬＥＤからの光が反射する様子を説明的に示す。
【図２０】実施例に係る第１可動部材における第２の光透過部材の第２光拡散部を拡大して示す概略図である。
【図２１】実施例に係る第１可動部材の後カバー体を正面側から視た状態で示す斜視図である。
【図２２】変更例に係る枠状装飾体のステージ形成位置を示す拡大図である。
【発明を実施するための形態】
【００１９】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００２０】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、各種図柄を変動表示可能な図柄表示装置１７が着脱可能に配設されている。また、前記中枠１２の前面側には、前記遊技盤２０を透視保護するガラス板や透明な合成樹脂材により形成された透視保護板１３ａ(図６参照)を備えた前枠１３が開閉可能に組み付けられると共に、該前枠１３の下方にパチンコ球Ｐを貯留する下球受け皿１５が開閉可能に組み付けられる。なお、実施例では、前記前枠１３の下部位置に、パチンコ球Ｐを貯留する上球受け皿１４が一体的に組み付けられており、前枠１３の開閉に合わせて上球受け皿１４も一体的に開閉するよう構成される。
【００２１】
また、前記中枠１２の右下方位置には、該中枠１２に配設された打球発射装置(図示せず)を作動する操作ハンドル１６が設けられており、該操作ハンドル１６の操作により打球発射装置が作動されることで、前記上球受け皿１４に貯留されたパチンコ球Ｐが前記遊技盤２０に向けて発射されるようになっている。なお、実施例では、前記図柄表示装置１７としては、各種図柄を表示可能な液晶パネルを収容ケースに収容した液晶表示装置が採用されるが、これに限られるものではなく、ドラム式の図柄表示装置１７やドットマトリックス式の図柄表示装置等の各種図柄を停止および変動表示可能な従来公知の各種の図柄表示装置を採用し得る。また、前記上球受け皿１４は、前記前枠１３と別体に形成して中枠１２に対して開閉可能に組み付けるようにしてもよい。
【００２２】
(遊技盤２０について)
前記遊技盤２０は、図２、図３、図６に示すように、略矩形状に形成されたアクリルやポリカーボネート等の透明な合成樹脂材からなる透明板２１と、該透明板２１の裏面に組み付けられると共に前記図柄表示装置１７が配設される裏ユニット４０とから構成される。図２に示すように、前記透明板２１の前面には、略円形状に湾曲形成したレール２２が配設されて、該レール２２により画成される略円形の遊技領域２０ａに、前記中枠１２に配設された図示しない打球発射装置から発射されたパチンコ球Ｐが打ち出されることで遊技が行なわれるようになっている。また透明板２１には、ルーター加工等の孔空け加工により前後に貫通する複数の装着口２３(実施例では図６に装着口２３を１つだけ図示)が前記遊技領域２０ａ内に開設されて、各装着口２３に対して各種部品が前側から取り付けられている。なお、前記装着口２３の形成数は、透明板２１に対して取り付けられる各種部品の個数や配設位置等により必要に応じて適宜変更される。また、前記透明板２１には、前記遊技領域２０ａ内に多数の遊技釘が植設されており、遊技領域２０ａを流下するパチンコ球Ｐが遊技釘に接触することで流下方向を不規則に変化するようになっている。なお、前記透明板２１における遊技領域２０ａの最下部位置には、前後に貫通するアウト口２４が開設されて、該遊技領域２０ａに打ち出されたパチンコ球Ｐをアウト口２４を介して遊技盤２０の裏側に通出させるようになっている。
【００２３】
ここで、実施例では、図２に示すように、前記レール２２で囲まれた遊技領域２０ａの略中央から右側部に至る大部分が開口する装着口２３に、前後に開口する表示窓口３０ａが形成された枠状装飾体３０(後述)が取り付けられており、該枠状装飾体３０の表示窓口３０ａを介して前記裏ユニット４０に配設された図柄表示装置１７が遊技盤２０の前面側に露出して、該図柄表示装置１７の表示を遊技盤２０の前側から視認し得るよう構成される。また、前記透明板２１における枠状装飾体３０の下方位置において遊技領域２０ａの左右幅方向の略中央には、別の装着口(図示せず)が開設されており、この装着口に、遊技領域２０ａを流下するパチンコ球Ｐが入賞可能な始動入賞装置２５や特別入賞装置２６が取り付けられている。そして、前記遊技盤２０を流下するパチンコ球Ｐが始動入賞装置２５の入賞口に入賞することで、前記図柄表示装置１７において図柄が変動表示されて図柄変動ゲームが展開され、該図柄変動ゲームの結果、図柄表示装置１７に所定の図柄組み合わせ(例えば同一図柄の３つ揃い)で図柄が停止表示されると、前記特別入賞装置２６が開放して所謂大当りが発生し、多数の賞球を獲得し得るよう構成されている。なお、透明板２１における遊技領域２０ａの左下方(始動入賞装置２５の左側方位置)に開設された装着口(図示せず)に対して、普通入賞口２７や電飾装置を備えた遊技部品が取り付けられている。
【００２４】
(枠状装飾体３０について)
前記枠状装飾体３０は、図２、図４、図５に示すように、前記透明板２１に開設された前記装着口２３に沿って延在する環状に形成された固定板３１と、該固定板３１に沿って設けられて、透明板２１より前方へ突出する庇状部３２とを備え、固定板３１の前側から透明板２１にネジ止めするよう構成されている。ここで、前記庇状部３２は、前記枠状装飾体３０(固定板３１)の左側縁の中間位置から上縁および右下縁に亘って連続して延在するよう設けられており、遊技領域２０ａに打ち出されたパチンコ球Ｐが庇状部３２に沿って誘導されることで、図柄表示装置１７の前面側を横切ってパチンコ球Ｐが流下(落下)するのを規制している。なお、以下の説明では、前記庇状部３２を、前記枠状装飾体３０(固定板３１)の左側縁に沿って延在する左庇部分３２ａ、枠状装飾体３０(固定板３１)の上縁に沿って延在する上庇部分３２ｂ、枠状装飾体３０(固定板３１)の右縁に沿って延在する右庇部分３２ｃと便宜上区別して指称することもある。但し、各庇部分３２ａ,３２ｂ,３２ｃの範囲を明確に区分されるものではない。また、前記枠状装飾体３０には、前記庇状部３２における上庇部分３２ｂの下側近傍および該庇状部３２における右庇部分３２ｃの左側近傍に、前側装飾部材３０ｂが夫々配設されている。なお、前記固定板３１と庇状部３２とは一体に樹脂形成する構成であっても、別部材として形成する構成であってもよい。
【００２５】
図４、図６に示すように、前記枠状装飾体３０には、装着口２３の内周下縁部には、前記固定板３１から後方へ延出すると共に左右方向にパチンコ球Ｐを転動可能な光透過性のステージ３３が設けられている。また、前記庇状部３２の左庇部分３２ａには、前記遊技領域２０ａ内に開口する球通入口３４ａが形成されると共に、前記ステージ３３に連通する球誘導路３４が枠状装飾体３０の開口内縁に沿って設けられており、遊技領域２０ａを流下する過程で球通入口３４ａを通過したパチンコ球Ｐがステージ３３上に誘導されて、該ステージ３３上を転動した後に遊技領域２０ａ内に排出されるようになっている。
【００２６】
ここで、前記ステージ３３は、前記透明板２１の後方まで延出するよう構成されて、前記裏ユニット４０に配設された後述する左下部照明装置５０および右下部照明装置５１がステージ３３の下面に対向位置するよう構成されている。なお、実施例のステージ３３は、パチンコ球Ｐが転動可能な球転動通路３３ａ,３３ｂを前後２列に備えて、後側の球転動通路３３ａが透明板２１の後方に位置すると共に、前側の球転動通路３３ｂが透明板２１の装着口２３の端面に対向するよう位置している。また、前記ステージ３３の右端部には、該ステージ３３から上方に延出する透明な合成樹脂材により形成された右側規制壁３５(図４参照)が設けられており、ステージ３３の球転動通路３３ａ,３３ｂを転動するパチンコ球Ｐがステージ３３の右端部から前側装飾部材３０ｂ側に移動するのを規制している。
【００２７】
前記庇状部３２における右庇部分３２ｃは、図２、図４、図５に示すように、前記ステージ３３よりも下方まで延在するよう形成されている。そして、前記枠状装飾体３０において、前記庇状部３２の右庇部分３２ｃの下端部とステージ３３の右側端部との間に、遊技盤２０(透明板２１)の前側に突出する球止め部３０ｃが形成されている。また、前記ステージ３３の前端部は、前記固定板３１に連設するよう構成されて、遊技盤２０(透明板２１)の前側に突出しないよう構成されている。すなわち、前記庇状部３２における左庇部分３３ａの下端部から前記球止め部３０ｃにおけるステージ３３側の端部までの間が、遊技領域２０ａを流下するパチンコ球Ｐのステージ３３への飛込み移動を許容する球飛込み部３０ｄとして機能している。従って、前記遊技領域２０ａ内を流下するパチンコ球Ｐが、遊技釘等との接触により弾かれた際に、前記球飛込み部３０ｄを介してステージ３３の前端部側からステージ３３上に直接飛込み得るようになっている。これにより、ステージ３３上にパチンコ球Ｐが到来する形態が多様化し、パチンコ球Ｐの動きに対して遊技者の興味を強く惹き付け得るようになっている。
【００２８】
前記球誘導路３４およびステージ３３の後端縁には、図５、図６に示すように、前記枠状装飾体３０の開口内側に向けて延出する透明な合成樹脂材により形成された後側規制壁３６が設けられており、該ステージ３３上を転動するパチンコ球Ｐがステージ３３後方に移動するのを規制するよう構成されている。なお、前記後側規制壁３６は、前記ステージ３３の右側端部において前記右側規制壁３５の後端部に連設するよう構成される。また、前記後側規制壁３６の裏側には、該後側規制壁３６の裏面全面を覆う後飾り板３８が設けられている。前記後側規制壁３６と後飾り板３８との間には、下方に開口する間隙が形成されると共に、該後飾り板３８の前面に金属メッキ等により光反射加工が施されており、前記裏ユニット４０に配設された左右の下部照明装置５０,５１に設けた第２のＬＥＤ基板６３の第２ＬＥＤ６４ａから照射された光を後飾り板３８で反射して、後側規制壁３６を透過した反射光が遊技盤２０の前方へ向けて照射されるようになっている。すなわち、前記後飾り板３８は、光を透過しない遮光部材として機能し、該後飾り板３８および庇状部３２により囲まれた開口領域が前記図柄表示装置１７が臨む前記表示窓口３０ａとして機能している。
【００２９】
また、図２、図４、図５、図６に示すように、前記後側規制壁３６における前記枠状装飾体３０の開口内側の端部には、前方へ突出する屋根状部３７が設けられている。すなわち、前記屋根状部３７は、後側規制壁３６(後飾り板３８)の端縁に沿って延在し、該屋根状部３７が図柄表示装置１７と前後に直接重ならないよう構成されている。また、前記屋根状部３７は、前記球誘導路３４に沿って上方から下方に向けて下に凸となる形状で湾曲すると共に、前記ステージ３３の上方で左右方向に直線的に延在するよう設けられて、該ステージ３３の右端部において前記右側規制壁３５の上端部に連設するよう構成されている。なお、前記実施例では、前記右側規制壁３５、後側規制壁３６および屋根状部３７の夫々は、透明な合成樹脂材により一体成形された単一部品とされている。
【００３０】
ここで、前記屋根状部３７の前端部から前記透視保護板１３ａまでの離間寸法は、パチンコ球Ｐの直径よりも小さくなるよう構成されており(図６参照)、該屋根状部３７の前端部側から屋根状部３７の上方へパチンコ球Ｐが移動しないよう構成されている。また、前記屋根状部３７において前記庇状部３２における左庇部分３２ａとの対向部位は、該庇状部３２の左庇部分３２ａに対して左右方向に重なるよう構成される。すなわち、屋根状部３７の傾斜上端部が庇状部３２における左庇部分３２ａの下端部よりも上方に位置している。これにより、前記遊技領域２０ａを流下するパチンコ球Ｐが、前記遊技釘等との接触により弾かれてステージ３３側に移動したパチンコ球Ｐが表示窓口３０ａの内側に移動しないようになっている。なお、前記屋根状部３７から球誘導路３４までの距離は、パチンコ球Ｐの直径よりも小さくなるよう構成されると共に前記ステージ３３から離間するにつれて漸減するよう構成されて、球誘導路３４と屋根状部３７との間へのパチンコ球Ｐの嵌り込みを防止している。
【００３１】
(裏ユニット４０について)
前記裏ユニット４０は、図３、図６、図７に示すように、前記透明板２１の外郭形状と略整合する大きさおよび形状に形成された略矩形状の背面板４１と、該背面板４１の外周縁部から前方に突出する画壁部４２とから前方に開口した箱状に形成されて、該画壁部４２の開口前端部を透明板２１の裏面に当接させた状態で、当該透明板２１と裏ユニット４０とが固定される。そして、前記裏ユニット４０において前記透明板２１との間に画成される空間に、可動演出装置７０や各種照明装置５０,５１,５２、その他の装飾部材４１ｂ等が配設されており、透明板２１を介して可動演出装置７０や照明装置５０,５１,５２、装飾部材４１ｂを視認し得るようになっている。また、前記裏ユニット４０の背面板４１の裏側に前記図柄表示装置１７を着脱自在に取り付けられると共に、該背面板４１に略矩形状の開口部４１ａが前後に開口するよう開設されて、該開口部４１ａを介して図柄表示装置１７が透明板２１の前側から視認し得るようになっている。なお、前記背面板４１の前面側には、前記開口部４１ａの開口縁に沿って装飾部材４１ｂが配設されている。また、前記裏ユニット４０の背面板４１には、前記透明板２１に取り付けられた前記始動入賞装置２５との対応位置に、該始動入賞装置２５の上方および左右側方を囲繞する仕切り壁４４が前方に向けて突出するよう形成してある。
【００３２】
(照明装置５０,５１,５２について)
前記裏ユニット４０に配設される照明装置５０,５１,５２としては、図３、図７に示すように、前記仕切り壁４４の左方に配設されて前記開口部４１ａの左下方に位置する左下部照明装置５０と、該仕切り壁４４の右方に配設されて該開口部４１ａの右下方に位置する右下部照明装置５１と、裏ユニット４０の左側部を画成する画壁部４２に近接して配設されて開口部４１ａの左側方に位置する側部照明装置５２とが備えられており、該照明装置５０,５１,５２が前記透明板２１の裏面に対向するよう構成されている。ここで、前記各照明装置５０,５１,５２の基本構成は同一なので、左下部照明装置５０の構成について以下詳細に説明し、右下部照明装置５１および側部照明装置５２の構成に関しては同一構成・部材に同一の符号を付すことで詳細な説明は省略するものとする。
【００３３】
前記左下部照明装置５０は、図６〜図８に示すように、前方へ開口する箱状部５３と、該箱状部５３の前方開口を覆う光透過性の装飾カバー部材５９と、該箱状部５３および装飾カバー部材５９に画成される空間部６０内に収容される第１のＬＥＤ基板６１(第１発光体基板)とを備え、裏ユニット４０の背面板４１から前方へ突出するよう形成された取付ボス４５(図６参照)の前端部に箱状部５３がネジ止めされる。すなわち、前記裏ユニット４０の背面板４１と、各照明装置５０,５１,５２の箱状部５３との間に、初期位置(図３参照)にある可動演出装置７０が臨む収容空間４６が画成されている。また、前記各照明装置５０,５１,５２を取付ボス４５に取り付けた状態で、各照明装置５０,５１,５２の前記装飾カバー部材５９が前記裏ユニット４０の開口前端部と略同一面に位置するよう構成されて、前記透明板２１の裏側に装飾カバー部材５９が近接位置するようになっている。そして、前記装飾カバー部材５９には、図柄表示装置１７に表示されるキャラクタ等に合わせたデザインの図柄等が表示されている。また、前記第１のＬＥＤ基板６１の前面側(装飾カバー部材５９側)には、前方へ光を照射するＬＥＤ(発光体)６２が実装されており、該ＬＥＤ６２を発光することで装飾カバー部材５９が明輝されて、透明板２１を装飾するようになっている。
【００３４】
図８に示すように、前記箱状部５３は、前記背面板４１に対向する背面部５４と、該背面部５４の縁部から前方へ突出する外壁部５５とから構成されており、背面部５４の複数箇所に第１ネジ孔５４ａが形成されると共に前方へ突出する第１位置決め突部５４ｂが形成されている。また、前記箱状部５３における外壁部５５の前端部には、同様に複数箇所に第２ネジ孔５５ａが形成されると共に前方へ突出する第２位置決め突部５５ｂが形成されている。そして、前記箱状部５３の第１位置決め突部５４ｂを、前記第１のＬＥＤ基板６１に形成された第１位置決め孔６１ｂに嵌合させた状態で、該第１のＬＥＤ基板６１に形成した通孔６１ａの前側から第１ネジ孔５４ａにネジ１３０を螺挿することにより、当該第１のＬＥＤ基板６１が前記空間部６０内に収容された状態で背面部５４に固定されるようになっている。同様に、前記装飾カバー部材５９は、該装飾カバー部材５９に形成された第２位置決め孔５９ｂに第２位置決め突部５５ｂを嵌合した状態で、当該装飾カバー部材５９に形成した通孔５９ａの前側から第２ネジ孔５５ａにネジ１３０を螺挿することにより、前記箱状部５３の前方開口を塞ぐよう固定される。すなわち、前記第１のＬＥＤ基板６１および装飾カバー部材５９の夫々は、前記箱状部５３に対して前側から固定されるよう構成されている。
【００３５】
また、前記左下部照明装置５０および右下部照明装置５１には、前記第１のＬＥＤ基板６１とは別に、前記ステージ３３を照明する第２のＬＥＤ基板６３を備えている。そこで、第２のＬＥＤ基板６３に関する構成につき、前述と同様に左下部照明装置５０を例にして説明し、右下部照明装置５１に関しては同一の構成に同一の符号を付して詳細な説明は省略する。図６、図８に示すように、前記箱状部５３において前記ステージ３３に対向する外壁部５５の対向壁部(以下対向上壁部５６という)に、前記空間部６０をステージ３３側に開放する上方開口部５６ａが、該対向上壁部５６の略全体に亘って形成されており、該上方開口部５６ａに第２のＬＥＤ基板６３が取り付けられている。ここで、前記第２のＬＥＤ基板６３は、前記上方開口部５６ａの全体を塞ぐ大きさに形成されており、前記第１のＬＥＤ基板６１のＬＥＤ６２からの光が上方開口部５６ａを介してステージ３３に照射されるのを防止している。
【００３６】
前記箱状部５３の対向上壁部５６には、図８に示すように、前記上方開口部５６ａを画成する開口端縁部に、前方および上方開口部５６ａ側に開口するスリット５７が夫々形成されており、該スリット５７に対して前記第２のＬＥＤ基板６３の端縁部を差し込み得るようになっている。また、前記対向上壁部５６におけるスリット５７の近傍には、第３ネジ孔を形成した固定ボス部５８が形成されており、該第３ネジ孔に係止部材６６を具備したネジ１３０が螺挿される。そして、前記固定ボス部５８の第３ネジ孔５８ａにネジ１３０を螺挿することで、前記スリット５７に差し込まれた第２のＬＥＤ基板６３の前端部に係止部材６６が当接して、該スリット５７からの第２のＬＥＤ基板６３の脱落を防止するよう構成される。すなわち、前記第２のＬＥＤ基板６３は、前記スリット５７に対して前側から差し込んだ状態で、前記固定ボス部５８の第３ネジ孔５８ａにネジ１３０を前側から螺挿することで固定される。なお、実施例の係止部材６６として平座金を用いているが、これに限られるものではなく、第２のＬＥＤ基板６３の前端部に当接して位置規制可能な部材であればよい。
【００３７】
前記第２のＬＥＤ基板６３には、図６〜図８に示すように、前記ステージ３３に対向し、該ステージ３３に向けて光を照射する第１ＬＥＤ６４ａと、該第１ＬＥＤ６４ａの後側に設けられて前記枠状装飾体３０に設けられた前記後側規制壁３６と後飾り板３８との間に形成された間隙の下方開口に臨み、該間隙に向けて光を照射する第２ＬＥＤ６４ｂとが実装されている。従って、前記第２のＬＥＤ基板６３の第１ＬＥＤ６４ａを発光することで、ステージ３３が下方から照明されると共に、第２ＬＥＤ６４ｂを発光することで、前記後飾り板３８で反射された光が遊技盤２０の前方へ照射されるようになっている。
【００３８】
(可動演出装置７０について)
前記可動演出装置７０は、図７、図９、図１０に示すように、前記裏ユニット４０に取り付けられる装置本体７１と、該装置本体７１に対して動作可能に支持された可動部材８０,８１と、当該装置本体７１に配設され、該可動部材８０,８１に連繋接続された駆動モータ(駆動手段)１２０とを備えて、該駆動モータ１２０を駆動することで、可動部材８０,８１が動作するよう構成されている。ここで、前記駆動モータ１２０は、前記図柄表示装置１７を制御する制御手段(図示せず)に対して電気的に接続されており、該制御手段からの制御信号に基づいて駆動モータ１２０を駆動することで可動部材８０,８１が動作されるようになっている。なお実施例では、前記装置本体７１に対して左右方向に隣接して２つの可動部材８０,８１が回転可能に備えられており、以下の説明では、左側に位置する可動部材を第１可動部材８０と指称し、右側に位置する可動部材を第２可動部材８１と指称するものとする。
【００３９】
(装置本体７１について)
前記装置本体７１は、図９〜図１０に示すように、前記裏ユニット４０に固定されるベース部材７２と、該ベース部材７２の前側に配設されるカバー部材７３とから構成されている。前記ベース部材７２は金属板部材であって、前記裏ユニット４０に形成された前記仕切り壁４４の対応位置で切り欠かれて該仕切り壁４４の左方側から上方側を囲繞するよう形成されている。そして、前記ベース部材７２における仕切り壁４４の上方側の板部に、前方へ突出する可動軸７２ａ,７２ａが固定されており、該可動軸７２ａ,７２ａに対して前記第１および第２可動部材８０,８１が回転可能に支持されるようになっている。ここで、前記可動軸７２ａは、左右方向に離間する位置に一対形成されて、各可動軸７２ａに前記第１および第２可動部材８０,８１が個別に支持されるよう構成される。また、前記ベース部材７２における前記仕切り壁４４の左方側の板部には、前方へ突出する支軸７２ｂが固定されており、前記駆動モータ１２０と第１可動部材８０とを接続する従動歯車１２３が回転可能に支持されている。更に、前記ベース部材７２には、前記第１および第２可動部材８０,８１の初期位置を検出する位置検出センサ１２４が配設されている。
【００４０】
前記カバー部材７３は、図１０に示すように、前記ベース部材７２に対向する対向板７４ａ,７４ｂと、該対向板７４ａ,７４ｂの下端部から後方(ベース部材７２側)に突出する固定壁７８とを備え、該カバー部材７３の対向板７４ａ,７４ｂとベース部材７２との間に、上方および左右側方に開口するよう画成された空間に、前記第１および第２可動部材８０,８１が配置される。前記対向板７４ａ,７４ｂは、前記ベース部材７２における仕切り壁４４の上方側の板部の前方に離間して位置する第１の対向板７４ａと、該ベース部材７２における仕切り壁４４の左方側の板部に対向すると共に第１の対向板７４ａよりベース部材７２側に位置する第２の対向板７４ｂとが一体的に形成されており、該第２の対向板７４ｂの前面側に、駆動軸(図示せず)を後方に突出させた姿勢で前記駆動モータ１２０が設置されている。
【００４１】
ここで、前記駆動モータ１２０の駆動軸は、第２の対向板７４ｂに形成された通孔(図示せず)を介してベース部材７２との間の空間に突出するよう構成されており、該空間において駆動軸に取り付けられた駆動歯車１２２と、前記支軸７２ｂに支持された従動歯車１２３とが噛合するようになっている。なお、前記第２の対向板７４ｂには、前記支軸７２ｂに対応する位置に、該支軸７２ｂの前端部を嵌合支持する軸孔(図示せず)が形成されている。
【００４２】
図９、図１０、図１１に示すように、前記第１の対向板７４ａには、前記ベース部材７２に設けた各可動軸７２ａと対応する位置に、後方(ベース部材７２側)に開口する円筒状部７５が前方へ突出するよう夫々形成されている。前記各円筒状部７５の前面部７６には、該円筒状部７５内に後方へ突出する支持突部７６ａ(図１１参照)が形成されており、該支持突部７６ａの後端部に形成した軸孔(図示せず)に、各円筒状部７５に対応する可動軸７２ａの前端部が嵌合支持されている。また、前記円筒状部７５の内側には、前記可動軸７２ａを囲繞するよう捻りバネ７９が収容されると共に、該円筒状部７５の周面部７７に後方へ開口する第１係止溝７７ａ(図１０参照)が前後に延在するよう形成されて、該円筒状部７５内に収容された捻りバネ７９の一端が第１係止溝７７ａに挿入係止されるようになっている。なお、前記捻りバネ７９の他端は、後述する回転支持部８２に形成される第２係止溝８５ａ(図１０、図１４参照)に挿入係止されて、該捻りバネ７９が対応の第１および第２可動部材８０,８１を初期位置から可動位置に向けて付勢するよう構成されている。
【００４３】
(第１および第２可動部材８０,８１について)
次に、前記第１および第２可動部材８０,８１の構成について説明する。なお、第１可動部材８０および第２可動部材８１の基本的構成は同一であるので、第１可動部材８０の構成について詳細に説明し、第２可動部材８１に関しては、同一の符号を付して詳細な説明は省略する。
【００４４】
前記第１可動部材８０は、図１０、図１２、図１３に示すように、前記装置本体７１(ベース部材７２)に設けられた左側に位置する可動軸７２ａに対して回動可能に支持される回転支持部８２と、該回転支持部８２に対して固定されて可動軸７２ａから径方向外方に延在する装飾体部９０とから構成され、該可動軸７２ａを中心として装飾体部９０が左方向に傾倒した初期位置(図３参照)と、当該可動軸７２ａを中心として起立した可動位置(図７参照)との間を回動するよう構成される。一方、前記第２可動部材８１を構成する回転支持部８２は、図１０に示すように、前記装置本体７１(ベース部材７２)に設けられた右側に位置する可動軸７２ａに対して回動可能に支持されており、該可動軸７２ａを中心として装飾体部９０が右方向に傾倒した初期位置(図３参照)と、当該可動軸７２ａを中心として起立した可動位置(図７参照)との間を回動するよう構成されている。なお、前記第１および第２可動部材８０,８１が初期位置にある状態では、各可動部材８０,８１は前記裏ユニット４０の背面板４１に開設された開口部４１ａの開口下縁部よりも下方に位置して、前記枠状装飾体３０に設けた後側規制板(後飾り板３８)の後方に隠れると共に、該第１および第２可動部材８０,８１が可動位置にある状態では。各可動部材８０,８１が裏ユニット４０における開口部４１ａの開口下縁部内に臨み、枠状装飾体３０の表示窓口３０ａを介して遊技盤２０の前側から視認し得るようになっている。
【００４５】
(回転支持部８２について)
図１２〜図１４に示すように、前記第１可動部材８０の回転支持部８２は、前記従動歯車１２３と噛合する歯車部８３と、該歯車部８３の前面側に設けられて径方向外方に突出すると共に前記装飾体部９０が固定される連結片８６とを備え、該歯車部８３の中心点位置に、前記可動軸７２ａを挿通する軸支持孔８４ａが形成された支持筒部８４が前方へ突出するよう形成されている。すなわち、前記第１および第２可動部材８０,８１における支持筒部８４の軸支持孔８４ａに対応の可動軸７２ａを挿通することで、各可動部材８０,８１が装置本体７１に対して回転可能に支持される。また、前記連結片８６の突出端部側には、前記装飾体部９０を固定する嵌合孔８６ａが前方へ開口するよう形成されると共に、該嵌合孔８６ａに連通する通孔８６ｂ(図１３参照)が前後に貫通するよう形成されている。
【００４６】
ここで、前記第２可動部材８１を構成する回転支持部８２の歯車部８３は、前記第１可動部材８０を構成する回転支持部８２の歯車部８３と噛合するよう構成されている。そして、前記駆動モータ１２０を駆動して前記従動歯車１２３を回転した際に、前記第１可動部材８０が初期位置および可動位置の間で回転されるのに連動して第２可動部材８１が初期位置および可動位置の間で回転されるよう構成される。また、前記第２可動部材８１の回転支持部８２には、前記装置本体７１に設けた前記位置検出センサ１２４により検出される位置検出片８７が径方向外方に突出するよう設けられている。すなわち、前記第２可動部材８１に設けた位置検出片８７を位置検出センサ１２４が検出することで、両可動部材８０,８１の初期位置が制御手段に認識されるようになっている。
【００４７】
また、図１４に示すように、前記回転支持部８２の前面には、前記歯車部８３の外周縁近傍に、周方向に離間する位置に一対の突起部８５,８５が前方へ向けて突出するよう形成されている。そして、前記支持筒部８４の軸支持孔８４ａに前記可動軸７２ａを挿通した際に、前記装置本体７１(カバー部材７３)の円筒状部７５に収容される前記捻りバネ７９が支持突部７６ａに外挿されると共に、捻りバネ７９の端部が突起部８５,８５の間に形成される第２係止溝８５ａに差し込まれて係止されるようになっている。ここで、前記第１および第２可動部材８０,８１を初期位置に回転させた状態においては、前記装置本体７１(カバー部材７３)に形成された第１係止溝７７ａおよび該第１および第２可動部材８０,８１(回転支持部８２)に形成された第２係止溝８５ａの夫々に係止された捻りバネ７９が弾性的に変形されて、該第１および第２可動部材８０,８１を可動位置に向けて付勢するよう構成される。すなわち、前記第１および第２可動部材８０,８１を初期位置から可動位置に向けて回転する際には、前記捻りバネ７９が対応の可動部材８０,８１を可動位置に向けて付勢することで、前記駆動モータ１２０に掛かる負荷を軽減している。なお、各可動部材８０,８１を可動位置から初期位置に向けて回転する際には、可動部材８０,８１が自重により捻りバネ７９の弾性力に抗して初期位置に移動しようとする力が作用することから、前記駆動モータ１２０に掛かる負荷が過大になることはない。
【００４８】
(装飾体部９０について)
前記装飾体部９０は、図１２、図１３にように、前面をなす光透過性のレンズ体部９１と、該レンズ体部９１の後側に配設されて前記回転支持部８２に固定される後カバー体１１５と、該レンズ体部９１および後カバー体１１５の間に配設される第３のＬＥＤ基板１１１とから基本的に構成されて、該第３のＬＥＤ基板１１１のＬＥＤ１１１ａからの光がレンズ体部９１を透過して前方へ照射されるようになっている。前記レンズ体部９１は、前面部９２ａおよび該前面部９２ａの外周縁から後方に突出する外周壁部９２ｂから形成されて後方に開口する第１の光透過部材９２と、該第１の光透過部材９２の外周壁部９２ｂがなす内側輪郭形状に合致する形状に形成されて該第１の光透過部材９２の内側に収容される第２の光透過部材１０２とからなる二重構造とされており、該第１および第２の光透過部材９２,１０２の夫々を透明な合成樹脂材により形成してある。
【００４９】
(第１の光透過部材９２について)
前記第１の光透過部材９２における前面部９２ａの一部および外周壁部９２ｂには、光を遮断する遮光処理がなされており、該前面部９２ａの一部が光を透過する光透過部として機能するようになっている。なお、実施例では、前記第１の光透過部材９２の前面部９２ａの一部および外周壁部９２ｂに金属メッキ処理を施すことで、適宜形態で光透過部を形成してある。実施例では、第１および第２可動部材８０,８１を可動位置に移動した際に、両可動部材８０,８１の光透過部を全体的に観察することで特定の文字が表示されるようになっている。そして、前記第１の光透過部材９２における前面部９２ａの裏面側には、光拡散処理が全面的に施されており、前記第３のＬＥＤ基板１１１に設けたＬＥＤ１１１ａからの光を拡散して前側に照射するようになっている。なお、実施例では、前記第１の光透過部材９２の裏面に光拡散処理としてダイヤカット加工がなされているが、これに限られるものではなく、光を拡散する従来公知の形状に形成してもよく、また別途設けた光拡散シートを貼付するようにしてもよい。
【００５０】
図１３、図１６に示すように、前記第１の光透過部材９２には、前記後カバー体１１５に固定される固定突部９３が前面部９２ａの背面から後方に突出するよう複数箇所に形成されている。なお、実施例に係る第１可動部材８０における第１の光透過部材９２には３箇所に固定突部９３が形成され、第２可動部材８１における第１の光透過部材９２には２箇所に固定突部９３が形成されている。
【００５１】
また、前記第１の光透過部材９２における外周壁部９２ｂには、図１３、図１６に示すように、前記第１および第２可動部材８０,８１を可動位置に移動した際に対向する対向面に、該第１の光透過部材９２の開口内側に突出する係合突部(第１位置決め部)９４が形成され、該係合突部９４が第２の光透過部材１０２に形成された位置決め凹部１０４ａ(後述)に係合して位置決めするようになっている(図１８参照)。なお、前記第１可動部材８０には、前記第１の光透過部材９２における外周壁部９２ｂの外面側に、前記係合突部９４との対応位置に緩衝部材９６が取り付けられる取付凹部９５が形成されており、第１可動部材８０を可動位置に回転した際に緩衝部材９６が第２可動部材８１に当接することで衝撃を緩和するようになっている。また、前記第２可動部材８１に形成される係合突部９４は板状の突部であり、該第２可動部材８１には緩衝部材９６を取り付ける取付凹部９５は形成されていない。なお、可動位置に移動された第１および第２可動部材８０,８１の対向面の上端部位置には、磁石９９が配設されており、可動位置に移動した際に磁石が吸着することで第１および第２可動部材８０,８１を保持するようになっている。
【００５２】
更に、図１３、図１５、図１６に示すように、前記第１の光透過部材９２には、前記外周壁部９２ｂの後端部に切欠部９７が形成されており、該切欠部９７に適宜の装飾形状に形成された飾り部材９８が取り付けられている。前記飾り部材９８は、図１５に示すように、前記第１の光透過部材９２における外周壁部９２ｂの外面側に当接する当接面９８ａと、該当接面９８ａの後端縁に形成され、前記切欠部９７を介して第１の光透過部材９２の内側に延在する延出片９８ｂと、該延出片９８ｂの突出端部に設けられて前方へ突出する嵌合片９８ｃとを備え、当接面９８ａと嵌合片９８ｃとの間に第１の光透過部材９２の外周壁部９２ｂを嵌合することで、第１の光透過部材９２の外面側に飾り部材９８が取り付けられるようになっている。ここで、前記飾り部材９８を第１の光透過部材９２に取り付けた状態で、前記嵌合片９８ｃが前記第１の光透過部材９２の内側の突出し、前記係合突部９４と同様に、前記第２の光透過部材１０２を第１の光透過部材９２に対して位置決めする第１位置決め部として機能する(図１８参照)。
【００５３】
(第２の光透過部材１０２について)
図１２、図１３、図１７に示すように、前記第２の光透過部材１０２は、前記第１の光透過部材９２における外周壁部９２ｂがなす内側輪郭形状に合致する形状に形成されると共に光拡散処理がなされた板状の対向面部１０３と、該対向面部１０３の外周縁に沿って設けられ、当該対向面部１０３から前後方向に突出する当接壁(突出部)１０４とから構成される。すなわち、第１の光透過部材９２の後方開口を介して第１の光透過部材９２の内側に収容した際に、当接壁１０４の前端部が第１の光透過部材９２の前面部９２ａの裏面に当接することで、対向面部１０３が第１の光透過部材９２の前面部９２ａから所定間隔離間する位置に位置規制される。すなわち、前記第２の光透過部材１０２の裏側に配設された前記第３のＬＥＤ基板１１１のＬＥＤ１１１ａからの光を、該第２の光透過部材１０２で拡散させた後に第１の光透過部材９２に照射することで、該第１の光透過部材９２の光透過部を全体的に明輝し得るようになっている。
【００５４】
図１２、図１３、図１７に示すように、前記第２の光透過部材１０２の対向面部１０３には、前記第１の光透過部材９２に形成された前記固定突部９３と対応する位置に、該固定突部９３が嵌挿される第１挿通孔１０３ａが形成される。また、第２の光透過部材１０２における当接壁１０４には、前記係合突部９４および飾り部材９８の嵌合片９８ｃの夫々に対応する位置に、該係合突部９４および嵌合片９８ｃに係脱可能に係合する位置決め凹部１０４ａ(第２位置決め部)が夫々形成されている。すなわち、前記第２の光透過部材１０２を第１の光透過部材９２の内側に収容した際に、前記固定突部９３が第１挿通孔１０３ａに嵌挿されると共に、前記係合突部９４および嵌合片９８ｃの夫々が位置決め凹部１０４ａに係合することで、該第１の光透過部材９２に対して第２の光透過部材１０２が正確に位置決めされるようになっている。
【００５５】
(第２の光透過部材１０２の光拡散部について)
次に、前記第２の光透過部材１０２になされる光拡散処理の具体的構成について説明する。図１７に示すように、該第２の光透過部材１０２には、前記対向面部１０３において前記第３のＬＥＤ基板１１１に対向する裏面側に後方に開口するよう形成されて該第３のＬＥＤ基板１１１のＬＥＤ１１１ａが嵌り込む収容凹部１０５と、該対向面部１０３において第１の光透過部材９２に対向する表面側に形成されて前方へ突出する断面略三角形状の第１光拡散部１０６と、当該対向面部１０３の裏面側に形成されて後方へ突出する断面略三角形状の第２光拡散部１０７とを備えている。
【００５６】
前記収容凹部１０５は、前記対向面部１０３において前記第１の光透過部材９２の光透過部の後方位置に複数形成されると共に、後方へ向かうにつれて拡開するよう形成されている。すなわち、前記収容凹部１０５は、図１９に示すように、断面が略等脚台形状を呈しかつ平行となる対辺の長辺側が後方に開口する形態で形成され、該収容凹部１０５の傾斜面で前方から照射される光(具体的には第１光拡散部１０６からの反射光)を第２の光透過部材１０２の内部において対向面部１０３の面方向へ反射するよう構成されている。なお、以下の説明では、前記収容凹部１０５の傾斜面を特に凹部反射面１０５ａと指称すると共に、該収容凹部１０５の短辺となる前面を透過面１０５ｂと指称するものとする。すなわち、前記第３のＬＥＤ基板１１１のＬＥＤ１１１ａからの光は、前記収容凹部１０５の透過面１０５ｂを透過して前方へ照射される。また、実施例における収容凹部１０５の凹部反射面１０５ａと、前記第２の光透過部材１０２の対向面部１０３に垂直な垂直線とが交差する角度θ１を略４５°に設定してある。
【００５７】
(第１光拡散部１０６について)
また、前記第１光拡散部１０６は、図１１、図１９に示すように、前記収容凹部１０５の前側位置に対応して形成されて、前記対向面部１０３の表面から前方へ突出する断面略三角形状に突出すると共に所定長さ平行に延在する２条の突条部であって、該収容凹部１０５に収容されたＬＥＤ１１１ａからの光が第１光拡散部１０６に照射されるようになっている。ここで、前記各第１光拡散部１０６において相互に対向する内側の傾斜面を第１内側反射面１０６ａと指称し、相互に離間する外側の傾斜面を第１外側反射面１０６ｂと指称する。そして、前記第１光拡散部１０６の第１内側反射面１０６ａが前記収容凹部１０５の透過面１０５ｂの前側に位置すると共に、該第１光拡散部１０６の第１外側反射面１０６ｂが収容凹部１０５の凹部反射面１０５ａの前側に位置するよう構成されている。
【００５８】
すなわち、前記収容凹部１０５に収容された前記第３のＬＥＤ基板１１１のＬＥＤ１１１ａから前方へ向けて照射された光は、該収容凹部１０５の透過面１０５ｂを透過して前記第１光拡散部１０６の第１内側反射面１０６ａに照射される。そして、前記第１内側反射面１０６ａに照射される光の一部が前記第１外側反射面１０６ｂに向けて反射されると共に、該第１外側反射面１０６ｂにおいて後方(凹部反射面１０５ａ)へ向けて反射されるようになっている。また、前記第１内側反射面１０６ａで反射されることなく前記第２の光透過部材１０２の前側に透過する光は、該第１内側反射面１０６ａに対する光の入射角に応じた屈折角で屈折されて第１の光透過部材９２の前面部９２ａに向けて照射されるようになっている。また、実施例における前記第１内側反射面１０６ａと、前記第２の光透過部材１０２の対向面部１０３に垂直な垂直線とが交差する角度θ２および第１外側反射面１０６ｂと該垂直線が交差する角度θ３は、何れも略４５°に設定してある。
【００５９】
(第２光拡散部１０７について)
前記第２光拡散部１０７は、図１９に示すように、前記収容凹部１０５における各凹部反射面１０５ａに対して、各凹部反射面１０５ａでの光の反射方向(収容凹部１０５から離間する方向)に連続して複数形成されて、断面形状が鋸刃状を呈するよう構成されている。すなわち、前記第１光拡散部１０６の突出端部および第２光拡散部１０７の突出端部が平行になっている。ここで、前記各第２光拡散部１０７において前記収容凹部１０５側に位置する傾斜面を第２内側反射面１０７ａと指称し、各第２光拡散部１０７において収容凹部１０５から離間する傾斜面を第２外側反射面１０７ｂと指称する。また、実施例における前記第２外側反射面１０７ｂと、前記第２の光透過部材１０２の対向面部１０３に垂直な垂直線とが交差する角度θ５は、略４５°に設定される一方、第２内側反射面１０７ａと該垂直線が交差する角度θ４は、角度θ５よりも大きく設定されている。
【００６０】
また、図１９に示すように、前記各第２光拡散部１０７は、各第２光拡散部１０７の突出端部が前記収容凹部１０５から離間するにつれて前方へ変位するよう形成されている。すなわち、隣接する第２光拡散部１０７の第２内側反射面１０７ａと第２外側反射面１０７ｂとの交線Ｌは、前記収容凹部１０５から離間するにつれて前側に位置し、各第２光拡散部１０７における第２外側反射面１０７ｂが収容凹部１０５の凹部反射面１０５ａに対して対向するよう構成されている。従って、前記収容凹部１０５の凹部反射面１０５ａで第２の光透過部材１０２の対向面部１０３の面方向へ反射された反射光が収容凹部１０５から離間位置する第２光拡散部１０７の第２外側反射面１０７ｂに対しても照射され、各第２外側反射面１０７ｂにおいて前方(第１の光透過部材９２側)へ反射されるようになっている。
【００６１】
また、図１９、図２０に示すように、前記各第２光拡散部１０７の第２内側反射面１０７ａは、前記第２外側反射面１０７ｂ側に屈曲するよう形成されている。すなわち、前記第２光拡散部１０７の突出端部は、前記収容凹部１０５側に突出する爪状に形成されている。これにより、前記対向面部１０３の表面(後述の膨出部１１０)において第２光拡散部１０７側に反射された光を第２内側反射面１０７ａで乱反射して、拡散効果を高めるようにしている(図２０参照)。
【００６２】
また、前記第２の光透過部材１０２の表面側には、図１７に示すように、前記第２光拡散部１０７の前方に対応する位置に、前方へ円弧状に膨出する膨出部１１０が形成されている。前記膨出部１１０は、前記第２外側反射面１０７ｂの中心位置近傍において膨出部１１０の境界面までの距離が長く、該第２外側反射面１０７ｂの端部に近づくにつれて膨出部１１０の境界面までの距離が短くなるようになっている。すなわち、前記膨出部１１０は、前記各第２光拡散部１０７に対するレンズとして機能し、該第２光拡散部１０７からの反射光を収束して反射光の強度を高めるようになっている。これにより、前記各第２光拡散部１０７における第２外側反射面１０７ｂの前面における中心位置近傍の光の強度が高くなり、第２外側反射面１０７ｂの対応位置に恰も光源が存在しているように感じられる。
【００６３】
(第３のＬＥＤ基板１１１について)
前記第３のＬＥＤ基板１１１は、図１２、図１３に示すように、前記第１の光透過部材９２の内側に収容される平板状に形成されて、該第３のＬＥＤ基板１１１の外周端部が第１の光透過部材９２における外周壁部９２ｂの内縁に当接して位置規制されるよう構成される。なお、前記第３のＬＥＤ基板１１１は、前記第１の光透過部材９２に対する飾り部材９８の取付位置では、該第１の光透過部材９２の外周壁部９２ｂの外方へ突出している。そして、前記第２の光透過部材１０２に形成された各収容凹部１０５に対応する位置に、前方へ向けて光を照射する姿勢でＬＥＤ１１１ａが設けられている。また、前記第３のＬＥＤ基板１１１の裏面下端部には、該第３のＬＥＤ基板１１１に沿って下方側からコネクタを接続可能なコネクタ受け部１１２が設けられている。また、前記第３のＬＥＤ基板１１１には、前記第１の光透過部材９２に形成された固定突部９３と対応する位置に前後に貫通する第２挿通孔１１１ｂが形成されている。そして、前記第２の光透過部材１０２に形成された第１挿通孔１０３ａに嵌挿された固定突部９３が、前記第３のＬＥＤ基板１１１の第２挿通孔１１１ｂに嵌挿されて、該第３のＬＥＤ基板１１１を位置決めするようになっている。また、前記第２挿通孔１１１ｂに嵌挿された固定突部９３は、該第３のＬＥＤ基板１１１の後方へ突出するよう構成される。
【００６４】
(後カバー体１１５について)
前記後カバー体１１５は、図１２、図１３、図２１に示すように、前記第１の光透過部材９２および飾り部材９８を合わせた輪郭形状に略整合する板状に形成されると共に、該第１の光透過部材９２に形成された固定突部９３と対応する位置に、前後に貫通する通孔１１５ａが形成されている。そして、前記第３のＬＥＤ基板１１１の第２挿通孔１１１ｂに固定突部９３を嵌挿した状態で、前記後カバー体１１５の各通孔１１５ａに挿通したネジ(図示せず)を対応の固定突部９３のネジ孔に螺挿することで、第１の光透過部材９２および飾り部材９８の後端部に後カバー体１１５が当接するようになっている。このとき、前記後カバー体１１５が前記第３のＬＥＤ基板１１１の裏面に当接するよう構成され、前記第１の光透過部材９２と後カバー体１１５との間に第２の光透過部材１０２および第３のＬＥＤ基板１１１を挟持することで、前記装飾体部９０が構成される。
【００６５】
また、前記後カバー体１１５の前面側には、前記第１の光透過部材９２および飾り部材９８の内部輪郭形状に整合する形状で前方へ突出する突出壁１１５ｂが形成されており、第１の光透過部材９２と後カバー体１１５とを固定した際に、該突出壁１１５ｂが第３のＬＥＤ基板１１１の背面を押圧して、第２の光透過部材１０２および第３のＬＥＤ基板１１１を強固に挟持するよう構成される。なお、前記後カバー体１１５における前記コネクタ受け部１１２との対応位置には、前後に開口するコネクタ逃し孔１１５ｃが形成されており、該コネクタ受け部１１２と後カバー体１１５との干渉を防止している。
【００６６】
前記後カバー体１１５の下端部には、図１３、図２１に示すように、後端部にネジ孔１１６ａが形成された連結突部１１６が後方へ突出するよう形成されている。そして、前記連結突部１１６を前記回転支持部８２に形成した嵌合孔８６ａに嵌合すると共に、該嵌合孔８６ａに連通する通孔８６ｂに挿通したネジ(図示せず)を連結突部１１６のネジ孔１１６ａに螺挿することで、該回転支持部８２と後カバー体１１５(装飾体部９０)とが連結固定されて、これにより第１および第２可動部材８０,８１が構成される。
【００６７】
〔実施例の作用〕
次に、前述のように構成された実施例に係るパチンコ機１０の作用につき説明する。
【００６８】
前記遊技盤２０に設けたレール２２に沿って遊技領域２０ａに打ち出されたパチンコ球Ｐは、遊技盤２０上に設けた遊技釘等に接触して流下方向を変更しながら流下する。また、前記遊技領域２０ａを流下する過程で前記枠状装飾体３０の庇状部３２に形成した球通入口３４ａに通入したパチンコ球Ｐは、球誘導路３４を介してステージ３３上に誘導され、該ステージ３３上を左右方向に転動した後に遊技領域２０ａに放出される。そして、前記遊技領域２０ａを流下するパチンコ球Ｐが前記始動入賞装置２５に入賞すると、前記制御手段の制御に基づいて前記図柄表示装置１７での図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた特別入賞装置２６が開放されると共に、前記制御手段の制御に基づいて図柄表示装置１７において大当り演出が行なわれる。更に、前記図柄表示装置１７で展開される図柄変動演出や大当り演出等に合わせて、前記裏ユニット４０に配設された前記可動演出装置７０が前記制御手段からの制御信号に基づいて作動されて第１および第２可動部材８０,８１を動作して演出が行なわれる。
【００６９】
ここで、前記遊技盤２０を構成する前記裏ユニット４０には、該箱状本体の背面板４１に開設した開口部４１ａの下方および左方に、左右の下部照明装置５０,５１および側部照明装置５２が配設されて、これらの照明装置５０,５１,５２により透明板２１の遊技領域２０ａに対応する裏面を全体的に覆うようになっている。ここで、前記左右の下部照明装置５０,５１および側部照明装置５２を構成する前記装飾カバー部材５９は、前記裏ユニット４０の開口前端部により画成される開口面と略同一面に位置するよう構成してあるから、各照明装置５０,５１,５２における第１のＬＥＤ基板６１のＬＥＤ６２を発光させて対応の装飾カバー部材５９を明輝することで、前記透明板２１(遊技領域２０ａ)の全体を照明することができる。このように、前記裏ユニット４０に設けた前記左右の下部照明装置５０,５１および側部照明装置５２により前記透明板２１(遊技領域２０ａ)の全体を裏側から照明して発光装飾することで、ベニヤ板等の木材から形成された遊技盤２０の盤面に所要の図柄等が描かれたセルシートを貼着する構成に較べ、遊技盤２０の装飾性が格段に向上され、パチンコ機１０の付加価値の向上を図ると共に遊技の興趣の向上を図り得る。このとき、前記左右の下部照明装置５０,５１および側部照明装置５２の装飾カバー部材５９は、透明板２１の裏面に極めて近接位置しているから、該装飾カバー部材５９の各種図柄が透明板２１に描かれているように見え、ベニヤ板等の木材から形成された遊技盤２０の盤面に所要の図柄等が描かれたセルシートを貼着する場合と比べて違和感なく遊技を行なうことができる。
【００７０】
また、前記左右の下部照明装置５０,５１には、該左右の下部照明装置５０,５１を構成する箱状部５３に形成された上方開口部５６ａに第２のＬＥＤ基板６３が配設されており、該第２のＬＥＤ基板６３に設けた第１ＬＥＤ６４ａを発光することでステージ３３が下方から照明されるから、ステージ３３上を転動するパチンコ球Ｐの視認性やステージ３３の発光を利用した演出効果の向上が図られる。そして、前記裏ユニット４０に左右の下部照明装置５０,５１を配設してステージ３３を下方から照明するよう構成したことで、前記枠状装飾体３０自体にステージ３３を下方から照明するＬＥＤ基板等の照明装置を設ける必要がなく、該枠状装飾体３０の簡略化が図られ、枠状装飾体３０を小型化することができる。従って、パチンコ機１０を構成する他の構成部品の取付箇所の自由度を高め得ると共に、該枠状装飾体３０の表示窓口３０ａを大きくして図柄表示装置１７が遊技盤２０の前方に臨む領域を拡大することが可能となる。また、枠状装飾体３０の構成を簡略化し得るから、製造コストの低減を図り得る。
【００７１】
更に、前記第２のＬＥＤ基板６３には、前記枠状装飾体３０の後側規制壁３６と後飾り板３８との間に形成された間隙の下方開口に臨む位置に第２ＬＥＤ６４ｂを備えて、該第２ＬＥＤ６４ｂを発光することで、後飾り板３８で反射された反射光が後側規制壁３６を介して遊技盤２０の前方へ照射される。すなわち、ステージ３３の上方を照明する照明装置も枠状装飾体３０に設ける必要がなく、該枠状装飾体３０をより簡単な構成に形成して小型化することができる。
【００７２】
また、前記左右の下部照明装置５０,５１では、箱状部５３に開設された上方開口部５６ａに第２のＬＥＤ基板６３が臨むよう箱状部５３の内部に第２のＬＥＤ基板６３を収容するよう構成したから、単に箱状部５３の対向上壁部５６に第２のＬＥＤ基板６３を取り付ける構成に較べて、該左右の下部照明装置５０,５１の小型化も図ることができる。そして、前記第２のＬＥＤ基板６３により箱状部５３の上方開口部５６ａを塞ぐように覆っているから、該箱状部５３の空間部６０に収容された前記第１のＬＥＤ基板６１のＬＥＤ６２を発光させた際に、該第１のＬＥＤ基板６１のＬＥＤ６２からの光が上方開口部５６ａを介してステージ３３に照射されるのを確実に防止し得る。従って、箱状部５３に上方開口部５６ａを形成したとしても、前記第１のＬＥＤ基板６１に設けたＬＥＤ６２の発光による透明板２１の照明と、前記第２のＬＥＤ基板６３に設けた第１および第２ＬＥＤ６４ａ,６４ｂの発光によるステージ３３の照明とを明確に区別することができ、該透明板２１およびステージ３３を独立して照明して装飾や演出を実行することができる。
【００７３】
また、前記左右の下部照明装置５０,５１は、前記箱状部５３に対して前記第１のＬＥＤ基板６１、第２のＬＥＤ基板６３および装飾カバー部材５９の夫々を前側から固定するよう構成されている。このため、前記左右の下部照明装置５０,５１を組付作業性の向上が図られると共に、組付作業に要する時間が短縮されることによりコスト低減が図られる利点がある。
【００７４】
また、前記枠状装飾体３０には、ステージ３３の後端部に沿って設けられた後側規制壁３６における枠状装飾体３０の開口内側の端縁に前方へ突出する屋根状部３７が設けられると共に、該枠状装飾体３０における庇状部３２(左庇部分３２ａ)の下端部を屋根状部３７の下端部より下方に位置させて、該庇状部３２と屋根状部３７とを左右方向に重なるよう構成したことで、遊技領域２０ａを流下する過程で弾かれて庇状部３２(左庇部分３２ａ)の下端部からステージ３３側に移動したパチンコ球Ｐが、枠状装飾体３０の後方開口から可動演出装置７０の設置領域に移動するのを防止できる。また、前記屋根状部３７を後側規制壁３６における枠状装飾体３０の開口内側の端縁に沿って設けたことで、図柄表示装置１７が臨む表示窓口３０ａに該屋根状部３７が重なることはなく、図柄表示装置１７の視認性が低下することはない。また、前記屋根状部３７の前側突出端部から透視保護板１３ａまでの離間寸法をパチンコ球Ｐの直径寸法より小さく設定してあるから、遊技領域２０ａを流下する過程で弾かれたパチンコ球Ｐが屋根状部３７と透視保護板１３ａとの間を通過することはなく、可動演出装置７０の設置領域にパチンコ球Ｐが移動するのを確実に防止できる。
【００７５】
また、実施例に係る可動演出装置７０は、第１および第２可動部材８０,８１の夫々を、第１の光透過部材９２の内側に第２の光透過部材１０２を収容すると共に、該第２の光透過部材１０２の輪郭形状を第１の光透過部材９２における外周壁部９２ｂがなす内側輪郭形状に合致させるよう構成したことで、第２の光透過部材１０２が第１の光透過部材９２の内側で位置決めされ、該第１および第２可動部材８０,８１を動作させた際に、第１の光透過部材９２の内部で第２の光透過部材１０２が移動するのを抑制し得る。しかも、第１の光透過部材９２と第２の光透過部材１０２とを組み付けた際に、第１位置決め部および第２位置決め部が係合し、更に固定突部９３を第１挿通孔１０３ａに嵌挿するよう構成したから、第１の光透過部材９２に対して第２の光透過部材１０２がより正確に位置決めされ、第１および第２可動部材８０,８１の動作時における第２の光透過部材１０２の移動をより効果的に抑制できる。
【００７６】
更に、前記第１および第２可動部材８０,８１を構成する第３のＬＥＤ基板１１１は、前記第１の光透過部材９２の外周壁部９２ｂの内側に収容されて、該第１の光透過部材９２の外周壁部９２ｂが第３のＬＥＤ基板１１１の端縁部に当接するよう構成したから、当該第３のＬＥＤ基板１１１が第１の光透過部材９２の内側で位置決めされる。従って、第１および第２可動部材８０,８１の動作時に第３のＬＥＤ基板１１１が第１の光透過部材９２の内部で移動することも抑制される。このとき、前記第２の光透過部材１０２の第１挿通孔１０３ａに嵌挿された固定突部９３が、第３のＬＥＤ基板１１１に形成された第２挿通孔１１１ｂに嵌挿されるように構成してあるから、第１の光透過部材９２に対する第３のＬＥＤ基板１１１の位置決めがより正確になされ、第１および第２可動部材８０,８１の動作時における第３のＬＥＤ基板１１１の移動をより効果的に抑制し得る。そして、前記第３のＬＥＤ基板１１１の第２挿通孔１１１ｂに嵌挿された固定突部９３に後カバー体１１５を固定することで、第１の光透過部材９２と後カバー体１１５との間に第２の光透過部材１０２および第３のＬＥＤ基板１１１が挟持されるから、該第２の光透過部材１０２や第３のＬＥＤ基板１１１の前後方向の移動も規制される。
【００７７】
このように、前記第１および第２可動部材８０,８１の内部空間(すなわち第１の光透過部材９２および後カバー体１１５により画成される空間)に第２の光透過部材１０２や第３のＬＥＤ基板１１１を配設した場合でも、各部材が正確に位置決めされ、該第１および第２可動部材８０,８１内での部材の移動を防止することが可能となる。これにより、前記可動演出装置７０の第１および第２可動部材８０,８１を動作させた際に、前記第２の光透過部材１０２や第３のＬＥＤ基板１１１が第１の光透過部材９２や後カバー体１１５に接触して異音が生ずるのを効果的に抑制でき、第１および第２可動部材８０,８１の動作が演出上の妨げになることなく効果的な演出を実現できる。また、前記第１可動部材８０には、可動位置に移動した際に第２可動部材８１に対向する面に緩衝部材９６を取り付けるよう構成されているから、第１および第２可動部材８０,８１が直接接触して異音が生ずるのは防止される。
【００７８】
また、前記第１および第２可動部材８０,８１の第２の光透過部材１０２は、前記第３のＬＥＤ基板１１１のＬＥＤ１１１ａを収容する収容凹部１０５の前側に第１光拡散部１０６を位置させて、該第３のＬＥＤ基板１１１のＬＥＤ１１１ａから前方へ向けて照射された光の一部を第１光拡散部１０６の第１内側反射面１０６ａおよび第１外側反射面１０６ｂを介して一旦後方(収容凹部１０５の凹部反射面１０５ａ)へ向けて反射して、該凹部反射面１０５ａにおいて、第１光拡散部１０６からの反射光を第２の光透過部材１０２の対向面部１０３の面方向へ反射し、凹部反射面１０５ａで反射された反射光を、第２光拡散部１０７の第２内側反射面１０７ａおよび第２外側反射面１０７ｂで前方(第１の光透過部材９２側)へ反射するようになっている。
【００７９】
このとき、前記第２光拡散部１０７を各凹部反射面１０５ａでの光の反射方向(収容凹部１０５から離間する方向)に連続して複数形成すると共に、各第２光拡散部１０７の突出端部が前記収容凹部１０５から離間するにつれて前方へ変位するよう形成し、隣接する第２光拡散部１０７の第２内側反射面１０７ａと第２外側反射面１０７ｂとの交線Ｌを収容凹部１０５から離間するにつれて前側に位置させることで、各第２光拡散部１０７における第２外側反射面１０７ｂが収容凹部１０５の凹部反射面１０５ａに対して対向するよう構成してあるから、凹部反射面１０５ａで反射された反射光を収容凹部１０５から離間位置する第２外側反射面１０７ｂに対しても効果的に照射することができる。これにより、第１光拡散部１０６における第１内側反射面１０６ａおよび第１外側反射面１０６ｂを介して反射された反射光を、第２光拡散部１０７の反射面で確実に受け止めて前方に反射させることができる。しかも、収容凹部１０５(すなわち第３のＬＥＤ基板１１１におけるＬＥＤ１１１ａの配置位置)から離れた位置の第２光拡散部１０７の反射面に対しても反射光を確実に行き渡らせることができ、１つのＬＥＤ１１１ａの光を照射可能な範囲を格段に広げることができる。
【００８０】
更に、前記第２の光透過部材１０２の前側に光拡散処理がなされた第１の光透過部材９２を配設してあるから、該第２の光透過部材１０２で拡散された光を、当該第１の光透過部材９２において更に拡散することができる。このため、１つのＬＥＤ１１１ａを用いて従来にない広範囲を明輝させ得るようになり、第３のＬＥＤ基板１１１のＬＥＤ１１１ａの配設数を低減でき、部品点数の削減により製造工程の簡略化を図り得ると共に、コストの低減を実現できる。
【００８１】
また、実施例に係る第２の光透過部材１０２には、前記第２光拡散部１０７の前方に対応する位置に、前方へ円弧状に膨出する膨出部１１０を形成して、該第２光拡散部１０７からの反射光を収束して反射光の強度を高めるよう構成されている。すなわち、第１光拡散部１０６や収容凹部１０５の凹部反射面１０５ａ、第２光拡散部１０７での複数回の反射を繰り返すことで低下した光の強度を高めることができ、第１および第２可動部材８０,８１の光装飾効果を向上することができる。また、前述したように、前記第１および第２可動部材８０,８１の動作時においても、前記第１の光透過部材９２、第２の光透過部材１０２および第３のＬＥＤ基板１１１の相対的な位置関係が正確に保持されることから、第３のＬＥＤ基板１１１のＬＥＤ１１１ａを発光させた際に、所期の電飾効果を発揮させることが可能となる。
【００８２】
(変更例)
なお、遊技機の構成としては、実施例のものに限らず、種々の変更が可能である。
(１)  実施例では、可動演出装置に第１および第２可動部材を備えるよう構成したが、これに限られるものではなく、可動部材を１つあるいは３つ以上備える構成であってもよい。
(２)  実施例では、可動部材を所定角度範囲で回転(揺動)するよう構成したが、これに限らず、可動部材を３６０°回転するよう構成してもよく、また直線運動するよう構成することも可能である。
(３)  実施例の可動部材は、回転支持部に対して装飾体部を取り付けるよう構成したが、これに限らず、装飾体部を直接装置本体で支持するよう構成することもできる。
(４)  第１および第２の光透過部材に対する光拡散処理としては、実施例に示した構成のものに限られるものではなく、シボ加工等のように光を拡散する従来公知の光拡散加工により形成してもよい。また別途設けた光拡散シートを貼付する構成も採用可能である。
(５)  実施例では、第１の光透過部材に係合突部を第１位置決め部として形成し、第２の光透過部材に、該係合突部が嵌合する位置決め凹部を第２位置決め部として形成したが、これに限られるものではなく、第１および第２の光透過部材を組み付けた際に、相互に係脱可能に係合するよう構成すれば、第１の光透過部材に第１位置決め部として位置決め凹部を形成し、第２の光透過部材に第２位置決め部として係合突部を形成することもできる。また、第１位置決め部および第２位置決め部の形成位置は、実施例のものに限定されるものではなく、相互に係脱可能な適宜位置に形成すればよい。
(６)  実施例では、第２の光透過部材に第１光拡散部を２条形成するようにしたが、１条あるいは３条以上の第１光拡散部を形成することもできる。
(７)  実施例では、第２の光透過部材の裏面側に等脚台形状の収容凹部を形成して、該収容凹部における凹部反射面の夫々に連続するよう第２光拡散部を形成するよう構成したが、これに限られるものではないことは当然である。例えば、収容凹部における凹部反射面の傾斜角度を異ならせることもでき、また実施例における凹部反射面に対応する傾斜面の一方を、対向面部に垂直な垂直線に平行に形成して、凹部反射面を１つだけ備えるようにしてもよい。
(８)  実施例では、第２光拡散部の突出端部を爪状に形成したが、この形状に限られるものではなく、完全な断面三角形状に形成することもできる。
(９)  実施例では、第２の光透過部材に形成される第２光拡散部を全て同一の断面形状に形成するようにしたが、第２光拡散部毎に断面形状を変更するようにしてもよい。
(１０)  実施例では、１つの収容凹部に対して複数の第２光拡散部を連続して形成したが、該第２光拡散部を１つだけ備える構成も採用できる。
(１１)  第２の光透過部材における凹部反射面、第１光拡散部の第１内側反射面および第１外側反射面、第２光拡散部の第２内側反射面および第２外側反射面の夫々の傾斜角度は、実施例のものに限らず、任意に決定することができる。
(１２)  実施例では、遊技盤を構成する裏ユニットに可動演出装置を配設したが、これに限らず、透明板自体に可動演出装置を取り付けるようにしても、また透明板に配設される部材(例えば枠状装飾体)に設けるようにしてもよい。また可動演出装置が配設される位置・大きさに関しても、実施例にものに限られず、任意に変更することができる。
(１３)  実施例では、照明装置(左右の下部照明装置)の箱状部に、１つの上方開口部を開設したが、該箱状部に対して複数の上方開口部を開設して、各上方開口部毎に第２発光体基板を配設することもできる。
(１４)  枠状装飾体に設けられる屋根状部の形状は実施例のものに限られるものではなく、例えば、図２２に示すように、ステージ３３に沿った形状に形成してステージ３３と屋根状部３７とが平行になるよう構成することもできる。この場合には、屋根状部３７がステージと平行に延在することで、遊技機の見栄えが向上し、当該遊技機に対する遊技者の関心をより強く惹き付け得る効果が期待できる。
(１５)  実施例は、後側規制壁の裏面全面を覆う形状に形成した後飾り板を設けるよう構成したが、該後飾り板を後側規制壁よりも小さく形成して、屋根状部の一部または全体が図柄表示装置と前後に重なるようにしてもよい。また、後側規制壁を不透明な樹脂材等により形成して、後飾り板を省略することもできる。
(１６)  実施例では、遊技盤を透明板と裏ユニットから構成するようにしたが、ベニヤ板等の木製の遊技盤を採用することもできる。
(１７)  実施例では、遊技機としてパチンコ機を例示して説明したが、これに限られるものではなく、アレンジボール機やピンボール機、スロットマシン機等の各種遊技機を採用し得る。
【符号の説明】
【００８３】
７０  可動演出装置
８０  第１可動部材(可動部材)
８１  第２可動部材(可動部材)
９２  第１の光透過部材
９２ａ  前面部
９２ｂ  外周壁部
９３  固定突部
９４  係合突部(第１位置決め部)
１０２  第２の光透過部材
１０３  対向面部
１０３ａ  第１挿通孔
１０４  当接壁(係合突部)
１０４ａ  位置決め凹部(第２位置決め部)
１０５  収容凹部
１０６  第１光拡散部
１０７  第２光透過部
１１１  第３のＬＥＤ基板(ＬＥＤ基板)
１１１ａ  ＬＥＤ
１１１ｂ  第２挿通孔
１１５  後カバー体
【図１】
0005427004.tif 000002
【図２】
0005427004.tif 000003
【図３】
0005427004.tif 000004
【図４】
0005427004.tif 000005
【図５】
0005427004.tif 000006
【図６】
0005427004.tif 000007
【図７】
0005427004.tif 000008
【図８】
0005427004.tif 000009
【図９】
0005427004.tif 000010
【図１０】
0005427004.tif 000011
【図１１】
0005427004.tif 000012
【図１２】
0005427004.tif 000013
【図１３】
0005427004.tif 000014
【図１４】
0005427004.tif 000015
【図１５】
0005427004.tif 000016
【図１６】
0005427004.tif 000017
【図１７】
0005427004.tif 000018
【図１８】
0005427004.tif 000019
【図１９】
0005427004.tif 000020
【図２０】
0005427004.tif 000021
【図２１】
0005427004.tif 000022
【図２２】
0005427004.tif 000023